(57)【特許請求の範囲】
【請求項１】
記録媒体から情報を読み取るピックアップと、
前記ピックアップを駆動するサーボ回路と、
異なる記録方法で記録される複数の領域が存在する記録媒体に対し、前記サーボ回路の特性を該複数の領域ごとに自己調整する自己調整手段と、
該複数の領域のうち第１の領域に記録されている情報を記憶するための不揮発性メモリと、
装置停止前のピックアップ位置を検出する手段と、
記録又は再生の開始時に、前記不揮発性メモリに該第１の領域の情報が既に記憶されている場合に、装置停止前のピックアップ位置に応じてピックアップの位置を定め、該第１の領域以外の領域である第２の領域についてのみ前記自己調整手段による自己調整を実行せしめる制御手段と、
を具備する情報記録再生装置。
【請求項２】
前記装置停止前のピックアップ位置を検出する手段は、前記ピックアップが該第１の領域にあるときにオンとなるインナースイッチによって検出することを特徴とする、請求項１に記載の情報記録再生装置。
【請求項３】
装置停止前のピックアップ位置は、前記不揮発性メモリに記憶された停止前の装置動作に基づいて把握される、請求項１に記載の情報記録再生装置。
【請求項４】
前記制御手段は、停止前の装置動作が該第１の領域と該第２の領域との境界付近のトレース中である場合に前記ピックアップを該第２の領域の方向へ移動せしめる手段を含む、請求項３に記載の情報記録再生装置。
【請求項５】
前記制御手段は、停止前の装置動作が記録媒体の最外周付近のトレース中である場合に前記ピックアップを内周方向へ移動せしめる手段を含む、請求項３に記載の情報記録再生装置。
【請求項６】
前記制御手段は、停止前の装置動作が該第１の領域と該第２の領域との境界付近のサーチ中である場合に前記ピックアップを該第２の領域の方向へ移動せしめる手段を含む、請求項３に記載の情報記録再生装置。
【請求項７】
前記制御手段は、停止前の装置動作が記録媒体の最外周付近のサーチ中である場合に前記ピックアップを内周方向へ移動せしめる手段を含む、請求項３に記載の情報記録再生装置。
【請求項８】
前記制御手段は、停止前の装置動作が該第２の領域の自己調整中である場合に前記ピックアップの位置をそのまま保持する手段を含む、請求項３に記載の情報記録再生装置。
【請求項９】
前記制御手段は、停止前の装置動作が該第１の領域の記憶後の該第２の領域のサーチ中である場合に前記ピックアップを該第２の領域の方向へ移動せしめる手段を含む、請求項３に記載の情報記録再生装置。
【請求項１０】
前記制御手段は、ピックアップ移動中に再生の開始と装置停止が繰り返し行われたとき、このときの位置でピックアップの移動を抑止する移動抑止手段をさらに含む、請求項３から請求項９までのいずれか１項に記載の情報記録再生装置。
【請求項１１】
前記制御手段は、ピックアップ移動中に再生の開始と装置停止が繰り返し行われたときのスレッド駆動時間の累計が一定時間に達したとき、このときの位置でピックアップの移動を抑止する移動抑止手段をさらに含む、請求項３から請求項９までのいずれか１項に記載の情報記録再生装置。
【請求項１２】
前記制御手段は、ピックアップ移動中に再生の開始と装置停止が繰り返し行われたときのトラッククロス数の累計が一定数に達したとき、このときの位置でピックアップの移動を抑止する移動抑止手段をさらに含む、請求項３から請求項９までのいずれか１項に記載の情報記録再生装置。
【請求項１３】
前記制御手段は、装置停止前のサーチ動作中又は再生開始時のピックアップ移動動作中において装置停止の指示を受けた場合に当該動作を完了させてから停止する動作完了手段をさらに含む、請求項１に記載の情報記録再生装置。
【請求項１４】
装置停止前のピックアップ位置は、センサによりリアルタイムで検出される、請求項１に記載の情報記録再生装置。
【発明の詳細な説明】
【０００１】
【発明の属する技術分野】
本発明は、記録媒体へ情報を記録しかつ記録媒体から情報を再生する情報記録再生装置に関し、より詳細には、１枚の記録媒体内に複数の記録方法が混在するような記録媒体を再生し、かつ、サーボ回路の特性を自己調整する機能を有する情報記録再生装置に関する。
【０００２】
【従来の技術】
近年、ＣＤ（コンパクトディスク）に代わるものとして、ＭＤ（ミニディスク）が広く普及しつつある。ＣＤと異なり、ＭＤには、ユーザによる録音が可能な録音再生用ディスクと、ユーザによる録音が不可能な再生専用ディスクとの２種類が存在する。再生専用ディスクでは、ＣＤと同様の光ディスクが用いられ、ピットと呼ばれる凹凸によって情報が記録されている。一方、録音再生用ディスクでは、光磁気ディスクが用いられ、ＴＯＣ(Table Of Contents) と呼ばれる情報はピットで記録され、ユーザが記録する音声、タイトル、録音曲数等は磁気で記録される。この磁気的に記録される溝状の部分は、グルーブと呼ばれる。そして、ピットにより記録された情報は、反射光量の増減の変化に基づいて読み取られ、一方、グルーブ内に磁気により記録された情報は、反射光の偏向面方向に基づいて読み取られる。
【０００３】
録音再生用ディスクのように記録方法が異なる複数の領域が混在する記録媒体を再生するＭＤプレーヤにおいては、それぞれの記録領域をアクセスするのに適したサーボ特性が異なることが多い。そのため、ディスク特性のばらつきや機器の経時変化を補正するための自己調整機能を実現する場合、それぞれの記録領域ごとにサーボ特性の調整を行う必要がある。
【０００４】
【発明が解決しようとする課題】
従来、記録再生用ディスクに関しては、停止状態から再生状態に移行するときにピット領域及びグルーブ領域の双方について自己調整が行われていた。しかし、ピット領域すなわちＴＯＣ領域には、最外周の位置情報やユーザが録音する領域の開始位置情報など、ユーザによる録音によって変化することのない情報が記録されている。従って、ＴＯＣ情報を読み込みそれを保存しておけば、停止前と同じディスクを再生しようとする場合、ＭＤプレーヤは、改めてＴＯＣ領域を再生する必要性はなくなり、グルーブ領域の自己調整のみ行えばよいこととなる。そして、その場合に、ピックアップがグルーブ領域にあれば、すぐに調整動作に移行することができるため、都合がよい。
【０００５】
かかる実情に鑑み、本発明の目的は、１枚の記録媒体内に複数の記録方法が混在するような記録媒体を再生し、かつ、サーボ回路の特性を自己調整する機能を有する情報記録再生装置において、グルーブ領域に関してのみ自己調整する場合に、ピックアップの位置を検出しピックアップをグルーブ領域に移動させる手法を確立することにより、自己調整を開始するまでに要する時間を短縮し、ひいては、ユーザが演奏開始を指示してから実際に音声が出力されるまでの時間を短縮することにある。
【０００６】
【課題を解決するための手段】
上記目的を達成すべく案出された、本願第１の発明に係る情報記録再生装置は、記録媒体から情報を読み取るピックアップと、前記ピックアップを駆動するサーボ回路と、異なる記録方法で記録される複数の領域が存在する記録媒体に対し、前記サーボ回路の特性を該複数の領域ごとに自己調整する自己調整手段と、該複数の領域のうち第１の領域に記録されている情報を記憶するための不揮発性メモリと、記録又は再生の開始時に、前記不揮発性メモリに該第１の領域の情報が既に記憶されている場合に、装置停止前のピックアップ位置に応じて所定の方向に前記ピックアップを移動せしめるピックアップ移動手段と、記録又は再生の開始時に、前記不揮発性メモリに該第１の領域の情報が既に記憶されている場合に、該第１の領域以外の領域である第２の領域についてのみ前記自己調整手段による自己調整を実行せしめる制御手段と、を具備する。
【０００７】
また、第２の発明によれば、第１の発明に係る情報記録再生装置において、前記ピックアップ移動手段は、前記ピックアップが該第１の領域にあるときにオンとなるインナースイッチがオン状態の場合に前記ピックアップを該第２の領域の方向へ移動せしめる手段を含む。
【０００８】
また、第３の発明によれば、第１の発明に係る情報記録再生装置において、装置停止前のピックアップ位置は、前記不揮発性メモリに記憶された停止前の装置動作に基づいて把握される。
【０００９】
また、第４の発明によれば、第３の発明に係る情報記録再生装置において、前記ピックアップ移動手段は、停止前の装置動作が該第１の領域と該第２の領域との境界付近のトレース中である場合に前記ピックアップを該第２の領域の方向へ移動せしめる手段を含む。
【００１０】
また、第５の発明によれば、第３の発明に係る情報記録再生装置において、前記ピックアップ移動手段は、停止前の装置動作が記録媒体の最外周付近のトレース中である場合に前記ピックアップを内周方向へ移動せしめる手段を含む。
【００１１】
また、第６の発明によれば、第３の発明に係る情報記録再生装置において、前記ピックアップ移動手段は、停止前の装置動作が該第１の領域と該第２の領域との境界付近のサーチ中である場合に前記ピックアップを該第２の領域の方向へ移動せしめる手段を含む。
【００１２】
また、第７の発明によれば、第３の発明に係る情報記録再生装置において、前記ピックアップ移動手段は、停止前の装置動作が記録媒体の最外周付近のサーチ中である場合に前記ピックアップを内周方向へ移動せしめる手段を含む。
【００１３】
また、第８の発明によれば、第３の発明に係る情報記録再生装置において、前記ピックアップ移動手段は、停止前の装置動作が該第２の領域の自己調整中である場合に前記ピックアップの位置をそのまま保持する手段を含む。
【００１４】
また、第９の発明によれば、第３の発明に係る情報記録再生装置において、前記ピックアップ移動手段は、停止前の装置動作が該第１の領域の記憶後の該第２の領域のサーチ中である場合に前記ピックアップを該第２の領域の方向へ移動せしめる手段を含む。
【００１５】
また、第１０の発明によれば、第３の発明から第９の発明までのいずれかに係る情報記録再生装置において、再生の開始及び停止の繰り返しが一定回数に達したときに前記ピックアップ移動手段によるピックアップの移動を抑止する移動抑止手段をさらに含む。
【００１６】
また、第１１の発明によれば、第３の発明から第９の発明までのいずれかに係る情報記録再生装置において、再生の開始及び停止が繰り返されたときのスレッド駆動時間の累計が一定時間に達したときに前記ピックアップ移動手段によるピックアップの移動を抑止する移動抑止手段をさらに含む。
【００１７】
また、第１２の発明によれば、第３の発明から第９の発明までのいずれかに係る情報記録再生装置において、再生の開始及び停止が繰り返されたときのトラッククロス数の累計が一定数に達したときに前記ピックアップ移動手段によるピックアップの移動を抑止する移動抑止手段をさらに含む。
【００１８】
また、第１３の発明によれば、第１の発明に係る情報記録再生装置において、装置停止前のサーチ動作中又は再生開始時のピックアップ移動動作中において装置停止の指示を受けた場合に当該動作を完了させてから停止する動作完了手段をさらに含む。
【００１９】
また、第１４の発明によれば、第１の発明に係る情報記録再生装置において、装置停止前のピックアップ位置は、センサによりリアルタイムで検出される。
【００２０】
【発明の実施の形態】
以下、添付図面を参照して本発明の実施形態について説明する。
【００２１】
図１は、本発明に係る情報記録再生装置の一実施形態としてのＭＤプレーヤの構成を示すブロック図である。ＭＤ（ミニディスク）１の中の光磁気ディスク２は、カートリッジ３に収容されており、スピンドルモータ４によって回転駆動せしめられる。光磁気ディスク２上に記録された情報は、光学ピックアップ６から照射されたレーザ光の反射光によって再生される。その際、ピット領域の情報は、反射光量の変化に基づいて再生され、一方、磁気により記録された領域すなわちグルーブ領域の情報は、反射光の偏向面方向に基づいて再生される。
【００２２】
光学ピックアップ６は、送りモータ８によって移動せしめられる。ピット及びグルーブは、ディスク面に螺旋状に設けられており、光学ピックアップ６は、このピット又はグルーブが設けられたトラックを一定の線速度(CLV:Constant Linear Velocity)でトレースして情報を読み出す。そのため、スピンドルモータ４は、ＣＬＶサーボ回路９によって速度制御されている。光学ピックアップ６には、ディスク上のトラックを追従するトラッキング機構と、レーザ光の焦点を合わせるフォーカス機構とが設けられている。トラッキング機構は、トラッキングサーボ回路１４によって制御され、一方、フォーカス機構は、フォーカスサーボ回路１５によって制御される。トラッキングサーボ回路１４及びフォーカスサーボ回路１５は、システムコントロール１０によって制御される。
【００２３】
光学ピックアップ６で検出された情報は、高周波（ＲＦ）アンプ１１及び自動利得制御回路（ＡＧＣ）１２を経てトラッキング／フォーカスエラーアンプ１３に入力される。また、光学ピックアップ６の動作は、直接、トラッキング／フォーカスエラーアンプ１３に入力される。トラッキング／フォーカスエラーアンプ１３では、光学ピックアップ６の制御目標値と実際の移動量との誤差が演算されてシステムコントロール１０に入力される。さらに、送りモータ８は、トラッキングサーボ回路１４からの信号が入力されるスレッドサーボ回路１６によって駆動制御される。また、システムコントロール１０には、データの書き換え可能な不揮発性メモリ１７が接続されている。また、システムコントロール１０には、光学ピックアップ６が最内周（後述するようにピット領域（ＴＯＣ領域）に相当する）にあるときにオンとなるインナースイッチ１８が接続されている。
【００２４】
以上のように構成されたＭＤプレーヤでは、ディスク特性のばらつきや機器の経時変化を補正するために、システムコントロール１０による自己調整機能が備えられている。ＭＤプレーヤの自己調整項目としては、フォーカスサーボ利得とトラッキングサーボ利得とがある。そして、それらの利得調整は、録音再生用ディスクのように記録方法が異なる複数の領域が混在する記録媒体に対しては、それぞれの記録領域ごとに行う必要がある。
【００２５】
図２は、記録再生用ディスク２の構成を示す図である。この図に示されるように、ディスク２は、ＴＯＣ情報が記録されるリードインエリア（ＴＯＣ領域）２ａ、音楽データ等が記録されるデータエリア（レコーダブルエリア）２ｂ及び情報の存在しないリードアウトエリア２ｃからなり、ＴＯＣ領域２ａがピット領域を構成し、その他の領域がグルーブ領域を構成している。そして、ＴＯＣ領域２ａには、最外周の位置情報やユーザが録音する領域の開始位置情報など、ユーザによる録音によって変化することのない情報が記録されている。
【００２６】
本実施形態においては、ＴＯＣ情報を読み込みそれを不揮発性メモリ１７に保存しておくため、停止前と同じディスクを再生しようとする場合、ＭＤプレーヤは、改めてＴＯＣ領域を再生する必要性はなくなり、その結果、ピット領域に対する自己調整を実施する必要もなくなる。そして、その場合に、ピックアップがグルーブ領域にあれば、すぐに調整動作に移行することができて都合がよいため、本実施形態では、ピックアップを位置を検出しグルーブ領域に移動させるようにしている。以下、そのようなピックアップの移動について説明する。
【００２７】
まず、インナースイッチ１８がオン状態の場合には、光学ピックアップ６が最内周すなわちＴＯＣ領域２ａにあることがわかるため、光学ピックアップ６は、グルーブ領域の方向すなわち外周方向へ移動せしめられる。また、インナースイッチ１８がオフ状態の場合には、光学ピックアップ６は、停止前の装置動作に基づいて移動せしめられる。そのために、停止前の装置動作は、不揮発性メモリ１７に記憶されている。
【００２８】
すなわち、停止前にレコーダブルエリア２ｂの最内周付近をトレースしていれば、光学ピックアップ６は、外周方向に移動せしめられる。また、停止前にレコーダブルエリア２ｂの最外周付近をトレースしていれば、光学ピックアップ６は、内周方向に移動せしめられる。また、停止前にレコーダブルエリア２ｂの最内周付近をサーチしていれば、光学ピックアップ６は、外周方向に移動せしめられる。また、停止前にレコーダブルエリア２ｂの最外周付近をサーチしていれば、光学ピックアップ６は、内周方向に移動せしめられる。また、停止時点においてグルーブ領域の自己調整を実施していれば、ピックアップ６の位置はそのまま保持される。さらに、ＴＯＣ領域２ａの読み取り後、グルーブ領域をサーチしていた時点において停止した場合は、光学ピックアップ６は、外周方向に移動せしめられる。
【００２９】
以上のような再生開始時ピックアップ移動を行う場合において、そのような移動中に装置停止が指示されるような事態が繰り返し生ずると、光学ピックアップ６は、内周又は外周に移動してしまうことになる。そこで、本実施形態においては、以下のような移動抑止手段が設けられている。すなわち、再生の開始及び停止の繰り返し回数を計数し、繰り返し回数が一定回数に達したときには、光学ピックアップ６の移動が抑止される。また、再生の開始及び停止が繰り返されたときのスレッド駆動時間を累計し、その累計時間が一定時間に達したときに光学ピックアップ６の移動が抑止されるようにしてもよい。また、再生の開始及び停止が繰り返されたときのトラッククロス数を累計し、その累計数が一定数に達したときに光学ピックアップ６の移動が抑止されるようにしてもよい。
【００３０】
以上のような移動抑止手段は、光学ピックアップ６の位置を正確に把握することができないために必要となるものである。従って、サーチ動作中に装置停止の指示を受けた場合又は再生開始時のピックアップ移動動作中に装置停止の指示を受けた場合に、そのサーチ動作又はピックアップ移動動作を完了させてから停止するようにすれば、上記した移動抑止手段を設ける必要はなくなる。
【００３１】
さらに、上述の実施形態は、装置停止前の動作を記憶しておくことにより、光学ピックアップ６の位置を把握するものであるが、光学ピックアップ６にセンサを取り付け、リアルタイムで光学ピックアップ６の位置を検出することができるようにすれば、装置停止前の動作を記憶することなく、光学ピックアップ６の移動を行うことができる。
【００３２】
以上、本発明の実施形態について述べてきたが、もちろん本発明はこれに限定されるものではなく、様々な実施形態を案出することは当業者にとって容易なことであろう。
【００３３】
【発明の効果】
以上説明したように、本発明によれば、１枚の記録媒体内に複数の記録方法が混在するような記録媒体を再生し、かつ、サーボ回路の特性を自己調整する機能を有する情報記録再生装置において、グルーブ領域に関してのみ自己調整する場合に、ピックアップを位置を検出しグルーブ領域に移動させる手法が確立され、自己調整を開始するまでに要する時間が短縮される。ひいては、本発明は、ユーザが演奏開始を指示してから実際に音声が出力されるまでの時間を短縮するものである。
【図面の簡単な説明】
【図１】本発明に係る情報記録再生装置の一実施形態としてのＭＤプレーヤの構成を示
すブロック図である。
【図２】記録再生用ディスクの構成を示す図である。
【符号の説明】
１…ＭＤ（ミニディスク）
２…光磁気ディスク
２ａ…リードインエリア（ＴＯＣ領域）
２ｂ…データエリア
２ｃ…リードアウトエリア
３…カートリッジ
４…スピンドルモータ
６…光学ピックアップ
８…送りモータ
９…ＣＬＶサーボ回路
１０…システムコントロール
１１…ＲＦアンプ
１２…自動利得制御回路（ＡＧＣ）
１３…トラッキング／フォーカスエラーアンプ
１４…トラッキングサーボ回路
１５…フォーカスサーボ回路
１６…スレッドサーボ回路
１７…不揮発性メモリ
１８…インナースイッチ
【図１】
0003731940.tif 000002
【図２】
0003731940.tif 000003